(57)【特許請求の範囲】
【請求項１】
景品球計数回収装置および該景品球計数回収装置によって回収されたパチンコ球を貯留する回収球タンクおよび該回収球タンクに貯留されたパチンコ球を球回収樋に誘導するリフトが備えられているとともに多数のパチンコ機が長手方向両側面に並設された第１型パチンコ島台と、前記景品球計数回収装置を備えておらず前記第１型パチンコ島台に対して通路を間にして相対するように設けられ多数のパチンコ機が長手方向両側面に並設された第２型パチンコ島台と、前記景品球計数回収装置を備えておらず前記第１型パチンコ島台または前記第２型パチンコ島台に対し通路を間にして相対するように多数のパチンコ機が長手方向片側面に並設された第３型パチンコ島台からなり、前記第１型パチンコ島台は前記第２型パチンコ島台を間にして複数列設けられ、前記第３型パチンコ島台は該第１型パチンコ島台および第２型パチンコ島台を挟むように両端部に設けられた遊技場において、該各パチンコ島台に設けられた上部タンクどうしを交流樋で連結することにより該各パチンコ島台間でパチンコ球を往来させる島台間移送装置を設け、前記第１型パチンコ島台の回収球タンクにパチンコ球が貯留されたることを検出する回収球センサをそれぞれ設け、該回収球センサが作動すると該第１型パチンコ島台のパチンコ球が直接または第２型パチンコ島台を介して第３型パチンコ島台の方向に送られるように前記島台間移送装置を作動させるとともに、複数の第１型パチンコ島台の回収球センサが同時に作動している間は該各第１型パチンコ島台の間でパチンコ球を互いに送ることがないように前記島台間移送装置を作動させることを特徴とする遊技場のパチンコ球移動制御装置。
【発明の詳細な説明】
【技術分野】
【０００１】
本発明は、パチンコ、アレンジボール、雀球等の弾球遊技機（以下、パチンコ機という）が多数設けられた遊技場において、パチンコ球の移動を制御する装置に関するものである。
【背景技術】
【０００２】
遊技場に多数のパチンコ機を並設することにより構成されるパチンコ島台は、周知のように、パチンコ球を循環させる機能を有していて、各パチンコ機から排出されたパチンコ球は球回収樋を通って揚送装置に導かれ、該揚送装置よって該パチンコ球が上部タンクに揚送され、該上部タンクから該パチンコ球が球供給樋を通して各パチンコ機に供給されるようにしている。また、パチンコ島台内には貯留タンクが設けられ、該貯留タンクの多数のパチンコ球が貯留され、該パチンコ島台内を循環するパチンコ球が不足すると該貯留タンクからパチンコ球が補給されるようにしている。
【０００３】
また、このようなパチンコ島台は遊技場の通路を間にして複数列設けられ、そのうちの一部のパチンコ島台には景品球計数回収装置（ジェットカウンタとも称される）が設けられ、遊技客が獲得したパチンコ球を該景品球計数回収装置に投入することにより該パチンコ球を計数し回収し得るようにしている。
ところで、このようにパチンコ島台が複数列に設けられた遊技場では、各パチンコ島台ごとでパチンコ球の量に過不足が生じるのが恒であり、例えば上記のように景品球計数回収装置が設けられたパチンコ島台はパチンコ球の量が多くなり、景品球計数回収装置を設けられてないパチンコ島台はパチンコ球の量が不足しがちとなる。
このため、各パチンコ島台の上部タンクどうしを交流樋で連結することにより該各パチンコ島台間でパチンコ球を往来させる島台間移送装置が設けられ、該島台間移送装置を作動させることで該各パチンコ島台のパチンコ球量が平均化するようにしている。なお、下記特許文献１には各パチンコ島台のパチンコ球の貯留量を平均化する装置が示されている。
【先行技術文献】
【特許文献】
【０００４】
【特許文献１】特許第４２４１６４１号公報
【発明の概要】
【発明が解決しようとする課題】
【０００５】
ところで、パチンコ遊技場には遊技のために循環させるパチンコ球が数十万個乃至数百万個あるが、一時に非常に多くのパチンコ球が遊技者に払い出されると、上記のようなパチンコ球貯留量平均化装置を作動させていたとしてもパチンコ球が不足気味になることがある。特に景品球計数回収装置は通常は遊技場の中央部に位置するパチンコ島台にだけ設けられていて、この景品球計数回収装置と遊技場の両内壁面寄りに形成されたパチンコ島台とは遠く離れており、その中間にもパチンコ島台が位置しているため、この景品球計数回収装置によって回収されたパチンコ球が両内壁面寄りのパチンコ島台まで行き渡り難く、到達するのに時間も掛かるので、両内壁面寄りのパチンコ島台については常にパチンコ球が不足しがちであった。このため、両内壁面寄りのパチンコ島台にあるパチンコ機は、最悪の場合、パチンコ球が払い出せなくなり遊技を中断させてしまうおそれもあった。
そこで本発明は、このようなことにならないように遊技場のパチンコ球移動を制御する装置を提供しようとするものである。
【課題を解決するための手段】
【０００６】
そのために本発明に係る遊技場のパチンコ球移動制御装置は、景品球計数回収装置および該景品球計数回収装置によって回収されたパチンコ球を貯留する回収球タンクおよび該回収球タンクに貯留されたパチンコ球を球回収樋に誘導するリフトが備えられているとともに多数のパチンコ機が長手方向両側面に並設された第１型パチンコ島台と、前記景品球計数回収装置を備えておらず前記第１型パチンコ島台に対して通路を間にして相対するように設けられ多数のパチンコ機が長手方向両側面に並設された第２型パチンコ島台と、前記景品球計数回収装置を備えておらず前記第１型パチンコ島台または前記第２型パチンコ島台に対し通路を間にして相対するように多数のパチンコ機が長手方向片側面に並設された第３型パチンコ島台からなり、前記第１型パチンコ島台は前記第２型パチンコ島台を間にして複数列設けられ、前記第３型パチンコ島台は該第１型パチンコ島台および第２型パチンコ島台を挟むように両端部に設けられた遊技場において、該各パチンコ島台に設けられた上部タンクどうしを交流樋で連結することにより該各パチンコ島台間でパチンコ球を往来させる島台間移送装置を設け、前記第１型パチンコ島台の回収球タンクにパチンコ球が貯留されたることを検出する回収球センサをそれぞれ設け、該回収球センサが作動すると該第１型パチンコ島台のパチンコ球が直接または第２型パチンコ島台を介して第３型パチンコ島台の方向に送られるように前記島台間移送装置を作動させるとともに、複数の第１型パチンコ島台の回収球センサが同時に作動している間は該各第１型パチンコ島台の間でパチンコ球を互いに送ることがないように前記島台間移送装置を作動させることを特徴とする。
【発明の効果】
【０００７】
本発明によれば、第３型パチンコ島台でパチンコ球が不足するのが防止され、遊技を中断させてしまうような事態を回避することができる。
【図面の簡単な説明】
【０００８】
【図１】本発明に係る遊技場におけるパチンコ島台の配置を示した平面図。
【図２】本発明に係る遊技場におけるパチンコ島台の配置を示した正面図。
【図３】本発明に係るパチンコ島台の縦断面図。
【図４】本発明に係るパチンコ島台の横断面図。
【図５】図３の部分拡大図。
【図６】図５のＡ−Ａ線断面図。
【図７】シャッター装置の部分断面斜視図。
【図８】シャッター装置の縦断面図。
【図９】図８の作動状態図。
【図１０】図８のＢ−Ｂ線断面図。
【図１１】回収球タンクの縦断面図。
【図１２】回収球タンクの部分断面斜視図。
【図１３】上部タンクの部分断面斜視図。
【図１４】分流ボックスの部分断面斜視図。
【図１５】通路開閉装置の縦断面図。
【図１６】本発明に係るパチンコ球移動制御装置による対処を示すパチンコ島台の正面図。
【図１７】本発明に係るパチンコ球移動制御装置による対処を示すパチンコ島台の正面図。
【図１８】本発明に係るパチンコ球移動制御装置による対処を示すパチンコ島台の正面図。
【図１９】各島制御回路の回収球センサ検知処理を示すフローチャート。
【図２０】各島制御回路の制御信号入力処理を示すフローチャート。
【図２１】全体制御回路の検知信号入力処理を示すフローチャート。
【発明を実施するための形態】
【０００９】
図１および図２に、例として７列にパチンコ島台１ａ〜１ｇを設置した遊技場を示す。各パチンコ島台１ａ〜１ｇは、通路２ａ〜２ｆを間にして平行に列設され、そのうち中間部に位置するパチンコ島台１ｂと１ｄと１ｆは長手方向両側面に多数のパチンコ機３，３，…が並設されているとともに一端部に景品球計数回収装置４が備え付けられたパチンコ島台（以下、第１型パチンコ島台という）であり、パチンコ島台１ｃと１ｅは第１型パチンコ島台と同様に長手方向両側面に多数のパチンコ機３，３，…が並設されているが景品球計数回収装置は備えられていないパチンコ島台（以下、第２型パチンコ島台という）である。また、両端部に位置するパチンコ島台１ａ，１ｇは、それぞれ第１型パチンコ島台１ｂ，１ｆに対し通路２ａ，２ｆを間にして相対するように多数のパチンコ機３，３，…が長手方向片側面に並設され景品球計数回収装置を備えていないパチンコ島台（以下、第３型パチンコ島台という）である。なお、第３型パチンコ島台１ａ，１ｇの背面は、図示したように遊技場の内壁に面したり、或いは、通路が設けられることも、スロットマシンのような他の遊技機が背中合わせに設けられることもある。
【００１０】
各パチンコ島台１ａ〜１ｇは、パチンコ島台全体を制御するための島制御回路をそれぞれ有している。各島制御回路は、後述する各パチンコ島台に設けられた各装置のセンサ等の検知信号を受信し、その検知信号に基づいた各種処理を実行している。また、パチンコ島台は全体制御回路を有しており、全体制御回路は島制御回路を介してパチンコ島台の各タンクに貯留されているパチンコ球貯留量の制御等を行っている。
【００１１】
次に第１型パチンコ島台１ｂ、１ｄ、１ｆの構成を図３の縦断面図および図４の横断面図に従い説明する。同図にて、５ａ，５ｂは各パチンコ機３，３，…から排出されたアウト球等のパチンコ球を回収するために該島台内底部にて該パチンコ島台の中央部に向かって緩やかに下傾するように支持された球回収樋である。図４にも示すように、６は該球回収樋の傾斜下流部に設けられ該球回収樋を通して集められたパチンコ球を上部タンク７に揚送するために該パチンコ島台の略中央部に垂直に設けられたパチンコ球研摩揚送装置である。８ａ，８ｂは該上部タンク７に揚送されたパチンコ球を各パチンコ機３，３，…に供給するために該島台内上部にて該パチンコ島台の両端部に向かって緩やかに下傾するように支持された球供給樋である。なお、９，９，…は該球供給樋８ａ，８ｂの側縁部に設けられた特許第４４９５９８７号に係る整流シュート、１０，１０，…は特許第４５９０２３６号に係る球供給装置で、球供給樋８ａ，８ｂを流下したパチンコ球は該整流シュートおよび該球供給装置を経て各パチンコ機３，３，…の賞球タンクに供給される。また、１１，１１，…は特許第４４９６００６号および特許第４３２４４２１号に係る排出球計数装置で、各パチンコ機３，３，…から該排出球計数装置にパチンコ球が排出され、排出されたパチンコ球は該排出球計数装置からさらに球回収樋５ａ，５ｂに排出される。
【００１２】
この島台内底部であって前記揚送装置６の両側部位には多数のパチンコ球を貯留し得る貯留タンク１２ａ，１２ｂが形成される。該貯留タンク１２ａ，１２ｂは、図３において左右対称であるので、一方の貯留タンク１２ａについて図５，図６に従い説明する。貯留タンク１２ａは、底板１３が出口部１４に向けて下傾状に設けられ、また、天板１５は該底板１３とは反対向きの傾斜状に設けられ、該天板１５に２条の細長い落下孔１６を形成してなる。１７ａ，１７ｂは該天板１５の上部に離間させて設けられた球回収樋で、該球回収樋１７ａ，１７ｂ上にもパチンコ機３，３，…の排出球計数装置１１，１１，…からパチンコ球が排出されるようにしている。該球回収樋１７ａ，１７ｂも天板１５と同方向に傾斜状に設けられている。このため該球回収樋１７ａ，１７ｂを流下したパチンコ球は図５に示したように前記球回収樋５ａ，５ｂを流下してきたパチンコ球ｐと合流する。
【００１３】
また、１８ａ，１８ｂは前記球回収樋５ａ，５ｂと連通するように貯留タンク１２ａ，１２ｂ中を貫通させて傾斜状に設けられた筒状の球回収樋、１９ａ，１９ｂは球回収樋５ａ，５ｂと球回収樋１８ａ，１８ｂとの連結部に設けられた異物除去装置で、該異物除去装置の上流に前記球回収樋５ａ，５ｂの傾斜下端部が連結される。該異物除去装置１９ａ，１９ｂは、多数の丸孔２１が形成されたプレート２０が設けられ、該丸孔２１を通過したパチンコ球のみが該球回収樋５ａ，５ｂから球回収樋１８ａ，１８ｂに流れ得るようにしている。なお、該丸孔２１を通過した小さい異物はさらに該異物除去装置の底部に形成されたスリット２２から落下することでパチンコ球以外の異物、ゴミ等が除去される。
【００１４】
また、貯留タンク１２ａ，１２ｂの出口部１４にシャッター装置２５ａ，２５ｂが設けられる。該シャッター装置２５ａ，２５ｂは、図７乃至図９に示すように、電磁ソレノイド２６によって櫛歯２７が流路中に出没作動する構成とすることにより、該貯留タンク１２ａ，１２ｂからのパチンコ球の流出を開閉するものである。また、該シャッター装置２５ａ，２５ｂの傾斜下流端は、貯留タンク１２ａ，１２ｂから突出した前記球回収樋１８ａ，１８ｂの傾斜下流端と合流部２４にて連通している。そして、該合流部２４の下流路が前記揚送装置６の下部球入口４６に連なる。このためシャッター装置２５ａ，２５ｂから排出されたパチンコ球と球回収樋１８ａ，１８ｂを流下したパチンコ球が前記揚送装置６に送られる。なお、２８ａ，２８ｂはパチンコ球が通過し得る間隔を離して複数枚のリブ２９，２９，…を林立させてなるスノコ状フィルターで、揚送装置６の下部球入口４６に連なる流路に該フィルターを設けることにより、カードやビス等の異物が該揚送装置６に流れ込まないようにしている。
このため、球回収樋５ａ，５ｂを流下したパチンコ球は異物除去装置１９ａ，１９ｂ、球回収樋１８ａ，１８ｂ、フィルター２８ａ，２８ｂを通って揚送装置６の下部球入口４６へと流れる。また、貯留タンク１２ａ，１２ｂ内に貯留されたパチンコ球ｐはシャッター装置２５ａ，２５ｂが開作動したときだけ該貯留タンク１２ａ，１２ｂから流出しフィルター２８ａ，２８ｂを通って揚送装置６の下部球入口へと流れる。つまり、球回収樋５ａ，５ｂを流下したパチンコ球は、シャッター装置２５ａ，２５ｂが開閉作動と関係なく、貯留タンク１２ａ，１２ｂ内に貯留されたパチンコ球よりも優先的に揚送装置６に流されるようにしている。
【００１５】
また、図６に示したように、貯留タンク１２ａ，１２ｂの側壁に下から順に４つの磁気センサ３０ａ〜３０ｄを少しずつ高さを変えて設けてなる貯留球量検出装置３１を設け、該貯留球量検出装置３１によって該貯留タンクに貯留されたパチンコ球を検知し得るようにしている。そして、その検知信号は島制御回路へ送信され、島制御回路によりパチンコ球の量が５段階で検知される。詳しくは、４つの磁気センサ３０ａ〜３０ｄのうちいずれの磁気センサも作動していないときはその貯留量が「過少」であり、最下位にある磁気センサ３０ａのみが作動しているときは貯留量が「少」、該磁気センサ３０ａとその上の磁気センサ３０ｂが作動しているときは貯留量が「中」、磁気センサ３０ａと磁気センサ３０ｂとその上の磁気センサ３０ｃが作動しているときは貯留量が「多」、全部の磁気センサ３０ａ〜３０ｄが作動しているときは貯留量が「過多」であることが検知される。なお、この実施形態では一方の貯留タンク１２ａに４つの磁気センサ３０ａ〜３０ｄを設けた例を示すが、一方の貯留タンク１２ａに磁気センサ３０ａと磁気センサ３０ｃのみを設け、他方の貯留タンク１２ｂに磁気センサ３０ｂと磁気センサ３０ｄを設け、該各磁気センサ３０ａ〜３０ｄの高さがこの順で下から順に高くなるように設定してもよい。
以上は第１型パチンコ島台１ｂ，１ｄ，１ｆだけでなく、第２型パチンコ島台１ｃ，１ｅおよび第３型パチンコ島台１ａ，１ｆともに共通の構成である。
【００１６】
一方、図３に示したように、景品球計数回収装置４に投入されたパチンコ球を一時的に島台内に貯留するためにパチンコ島台１ｂ，１ｄおよび１ｆの内部一端に回収球タンク３５が設けられる。該回収球タンク３５には、図１１，図１２に示したように、バケット回転型の中間リフト３７が備えられ、該回収球タンク３５の底板４０は、該中間リフト３７の下部入口に向けて下傾するように設けられている。３８は該中間リフトを駆動するモータである。そして、景品球計数回収装置４に投入されたパチンコ球は該回収球タンク３５の天板４１上を通って該回収球タンク３５内に貯留される。なお、４２は天板４１の上部に離間させて設けられた球回収樋で、該球回収樋４２上にも排出球計数装置１１，１１，…からパチンコ球が排出され、該球回収樋４２を流下したパチンコ球は前記球回収樋５ａ，５ｂを流下するパチンコ球と合流する。
また、該回収球タンクの側壁に磁気センサからなる回収球センサ３６が設けられ、該回収球センサ３６によって該回収球タンクにパチンコ球が貯留されたることを検出し得るようにしている。そして該回収球センサ３６が作動するとその検知信号が島制御回路へ送信され前記シャッター装置２５ａ，２５ｂが閉作動するように設定される。
３９は球回収樋５ａ，５ｂの途中に設けられた磁気センサである。該中間リフト３７は、遊技場の営業時間中はモータ３８により常時駆動され、回収球タンク３５内のパチンコ球を球回収樋５ａ，５ｂに揚送し得るようにしている。ただし、該磁気センサ３９が作動し、パチンコ球が該磁気センサ３９の位置まで詰まって来ていることが検知された場合に該中間リフト３７は停止するよう設定される。
なお、景品球計数回収装置４を備えていない第２型パチンコ島台１ｃ，１ｅおよび第３型パチンコ島台１ａ，１ｆにはこのような中間リフト３７や回収球タンク３５は設けられていない。
【００１７】
各パチンコ島台１ａ〜１ｇの長手方向中央部に設けられた前記揚送装置６は、上下部に設けた回転ローラの間に無端状の揚送ベルトが張架され、該揚送ベルトの上昇側表面と対向するように研摩布が設けられ、モータ４５によって該揚送ベルトが駆動され、上記球回収樋５ａ，５ｂを通って揚送装置６の下部球入口４６に流落してきたパチンコ球を該研摩布を介して該揚送ベルトに押し付けることにより、該パチンコ球を自転させつつ揚送し、該パチンコ球を上部球出口４７から上部タンク７中に補給するものである。
【００１８】
次に各パチンコ島台１ａ〜１ｇの中央上部に設けられた上部タンク７の構成を図１３により説明する。なお、図１３は該上部タンク７の内部構造を示すために手前の側板を取り外して透視した図面である。該上部タンク７は、床板５２により上室部５０と下室部５１とに区画され、揚送装置６によって揚送されたパチンコ球を前記上部球出口４７から上室部５０に流入させる。該床板５２は山形の傾斜面状に形成されていることから、該パチンコ球は、該上室部の左右両側壁際に形成された縦筒部５３ａ，５３ｂに流れるようにしている。該縦筒部５３ａ，５３ｂの下端部には前記球供給樋８ａ，８ｂが接続され、該パチンコ球が球供給樋８ａ，８ｂを通って各パチンコ機３，３，…に供給されるようにしている。５４は上室部５０の中央に立設されたオーバーフロー筒で、該オーバーフロー筒の上端は上室部５０中に開口し、下端は下室部５１中に開口している。下室部５１の床板５５は谷形の傾斜面状に形成され、中央に排出口５６が形成され、該排出口５６にオーバーフローホース５７ａ，５７ｂが接続される。
【００１９】
５８は上部タンク７の上室部５０に該上室部内がパチンコ球で概ねいっぱいになったときに作動するように同じ高さに２つ設けた満タンセンサで、該満タンセンサが作動すると前記シャッター装置２５ａ，２５ｂを閉作動させ、貯留タンク１２ａ，１２ｂからパチンコ球が流出しないようにする。また、５９は該上室部５０の上端部にパチンコ球の圧力によって作動するように設けられたオーバーフロー検出器で、該オーバーフロー検出器が作動すると前記揚送装置６を停止させる。
【００２０】
なお、オーバーフローホース５７ａ，５７ｂの下端部には、図１４に示すように、分流ボックス６０が設けられ、該分流ボックス内にガイド板６１が配設され、前記貯留タンク１２ａ，１２ｂの天板１５の上面と連通する球流路６２ａ，６２ｂが該分流ボックスの両側に配設されている。このため、オーバーフローホース５７ａ，５７ｂを流下したパチンコ球はガイド板６１に案内されて球流路６２ｂに流れ、球流路６２ｂがパチンコ球で詰まったら球流路６２ａに該パチンコ球が流れるようにしている。そして、球流路６２ａ，６２ｂを流下し図５に示したように天板１５上に流れたパチンコ球は、落下孔１６から貯留タンク１２ａ，１２ｂ中に落下し該貯留タンク１２ａ，１２ｂに貯留される。なお、落下孔１６は細長く形成されており、該落下孔１６から落下したパチンコ球が該貯留タンク１２ａ，１２ｂ内に均一に貯留されるようにしている。
【００２１】
島台間移送装置７０は、各パチンコ島台１ａ〜１ｇに設けられた上部タンク７どうしを傾斜状に設けた交流樋７３により連結することで該各パチンコ島台間でパチンコ球を往来可能にするもので、上部タンク７の上室部５０に流出口７１を形成し、下室部５１に流入口７２を形成し、該流出口７１に交流樋７３の傾斜上端部を接続し、該交流樋７３の傾斜下端部を隣接するパチンコ島台の流入口７２に接続してなる。なお、図２に示されるように、隣接するパチンコ島台１ａ〜１ｇの上部タンク７間にて互いにパチンコ球が自重にて行き来し得るように、該交流樋７３は隣接する上部タンク７に対して２本ずつ配設される。７４は該交流樋７３に設けられた特許第４３７０１３３号に係る通路開閉装置で、島制御回路からの制御信号により作動する電動ソレノイド７７によって開閉制御される。詳しくは、該通路開閉装置７４は、図１５に示したように、交流樋７３内に押圧板７５が平行リンク７６を介して支持され、該平行リンク７６はコイルバネ７８により下向きに付勢すると共に、該平行リンク７６にコイルバネ７９を介して電動ソレノイド７７を連結し、該電動ソレノイド７７を作動させることにより、該押圧板７５が交流樋７３の底面に対して上下動するもので、実線で示したように該押圧板を下動させた際に該交流樋７３内のパチンコ球が底面に押さえ付けられることでパチンコ球ｐの流下が閉止され、破断線で示したように該押圧板を上動させた状態では該交流樋７３中をパチンコ球ｐが自由に流下し得るように構成したものである。
【００２２】
この島台間移送装置７０は、常態では前記貯留球量検出装置３１から得られた各パチンコ島台１ａ〜１ｇの球保留量のデータに従い各パチンコ島台１ａ〜１ｇのパチンコ球量が略々均一になるように通路開閉装置７４を作動させ、球量の多いパチンコ島台から球量の少ないパチンコ島台にパチンコ球を移動させる。即ち、各パチンコ島台１ａ〜１ｇの球量レベルは４つの磁気センサ３０ａ〜３０ｄからなる貯留球量検出装置３１によって検知されるので、その検知に従い各交流樋７３に設けられた通路開閉装置７４を開閉する。例えば、「過多」となったパチンコ島台からは隣接するパチンコ島台にパチンコ球が送り出されるように該パチンコ島台の通路開閉装置７４を開状態にする一方、「過少」となったパチンコ島台からはパチンコ球が送り出されることのないように該パチンコ島台の通路開閉装置７４を閉状態にする。このような球量レベル平均化制御により各パチンコ島台１ａ〜１ｇの球量レベルが平均化される。
【００２３】
通路開閉装置７４を開状態にすることによっては、各パチンコ島台１ａ〜１ｇの上部タンク７の上室部５０に一定レベル以上あるパチンコ球が交流樋７３を通って隣接するパチンコ島台の上部タンク７の下室部５１に移送され、該下室部５１に移送されたパチンコ球はオーバーフローホース５７ａ，５７ｂを流下し球流路６２ａ，６２ｂを通って貯留タンク１２ａ，１２ｂ中に落下し、該貯留タンク１２ａ，１２ｂからさらに開状態のシャッター装置２５ａ，２５ｂを通過して揚送装置６により上部タンク７の上室部５０に揚送され該パチンコ島台の球供給樋８ａ，８ｂを通って各パチンコ機に供給される。
【００２４】
しかして、本発明では、回収球タンク３５に設けられた回収球センサ３６が作動すると該回収球センサがある第１型パチンコ島台１ｂ、１ｄまたは１ｆのパチンコ球が直接または第２型パチンコ島台１ｃ、１ｅを介して第３型パチンコ島台１ａ、１ｇに送られるように前記島台間移送装置を作動させる。詳しくは、全体制御回路及び各パチンコ島台の島制御回路が図１９、図２０及び図２１に示す制御処理を実行している。なお、図１９及び図２０は、所定の周期（例えば、２ｍｓｅｃや５ｍｓｅｃ）で島制御回路のメイン処理（図示せず）に割り込むように実行される処理であり、図１９は各島制御回路による回収球センサ検知処理を示すフローチャート、図２０は各島制御回路による制御信号入力処理を示すフローチャートである。また、図２１は、全体制御回路による処理のうち回収球センサの検知信号が入力された場合に実行される処理である。
【００２５】
図１９に示した回収球センサ検知処理において、まず、島制御回路はステップＳ１０で回収球タンクの回収球センサがパチンコ球を検知したか判定し、検知した場合にはステップＳ１１において検知信号を全体制御回路へ出力する。一方、全体制御回路では、図２１に示す検知信号入力処理が所定の周期（例えば、２ｍｓｅｃや５ｍｓｅｃ）でメイン処理（図示せず）に割り込むように実行されている。全体制御回路は、ステップＳ２０において各パチンコ島台の島制御回路より検知信号を受信したか判定し、入力が有った場合にはステップＳ２１において検知信号を受信したパチンコ島台が複数であるか否か判定する。複数のパチンコ島台から検知信号があった場合、ステップＳ２２において検知信号が出力されているパチンコ島台（第１型パチンコ島台）間はパチンコ球が送られないよう、通路開閉装置７４を制御する制御信号を生成する。一方、複数でなかった場合は、ステップＳ２３において、検知信号が出力されているパチンコ島台（第１型パチンコ島台）からそれぞれ第３型パチンコ島台方向へパチンコ球が直接あるいは第２型パチンコ島台経由で送られるよう、通路開閉装置７４を制御する制御信号を生成する。そして、ステップＳ２４において、ステップＳ２２又はＳ２３で生成された制御信号を各島制御回路へ出力する。この全体制御回路から出力された制御信号は図２０の制御信号入力処理により島制御回路へ伝わる。
島制御回路は図２０に示した制御信号入力処理において、前述した全体制御回路のステップＳ２２又はＳ２３にて生成された制御信号を受信したか判定し（ステップＳ３０）、入力が有った場合にはステップＳ３１においてその入力信号に基づいて通路開閉装置７４を開閉作動させるように電動ソレノイド７７へ動作指令を出力する。すなわち、ステップＳ３１において通路開閉装置７４が制御されることとなる。
【００２６】
このような制御により、例えば第１型パチンコ島台１ｂの回収球タンク３５に設けられた回収球センサ３６が作動すると、図１６に矢印で示したように、該第１型パチンコ島台１ｂのパチンコ球を第３型パチンコ島台１ａに直接送ると同時に、該第１型パチンコ島台１ｂのパチンコ球が第２型パチンコ島台１ｃ，第１型パチンコ島台１ｄ，第２型パチンコ島台１ｅ，第１型パチンコ島台１ｆを介して第３型パチンコ島台１ｇにも送られるように上記通路開閉装置７４を開状態にする一方、その逆方向にはパチンコ球が送られないように該通路開閉装置７４を閉状態にする。
【００２７】
同様に、例えば第１型パチンコ島台１ｄの回収球タンク３５に設けられた回収球センサ３６が作動すると、図１７に矢印で示したように、該第１型パチンコ島台１ｄのパチンコ球を第２型パチンコ島台１ｃ，第１型パチンコ島台１ｂを介して第３型パチンコ島台１ａに送ると同時に、該第１型パチンコ島台１ｄのパチンコ球を第２型パチンコ島台１ｅ，第１型パチンコ島台１ｆを介して第３型パチンコ島台１ｇに送るように通路開閉装置７４を開状態にし、その逆方向にはパチンコ球が送られないように該通路開閉装置７４を閉状態にする。
【００２８】
また、例えば第１型パチンコ島台１ｂの回収球タンク３５に設けられた回収球センサ３６が作動しているときに、第１型パチンコ島台１ｄの回収球タンク３５に設けられた回収球センサ３６も作動した場合、即ち、同時に２以上のパチンコ島台の回収球センサ３６が作動している間は、図１８に示したように重複する第１型パチンコ島台の方向には互いにパチンコ球を送ることなく該各第１型パチンコ島台から第３型パチンコ島台の方向にパチンコ球が送られるように島台間移送装置を作動させる。これにより、第１型パチンコ島台１ｂと第１型パチンコ島台１ｄの間に位置する第２型パチンコ島台１ｃにパチンコ球が過剰に供給されることがないようにする。
【００２９】
このように本発明のパチンコ球移動制御装置では、景品球計数回収装置によって回収されたパチンコ球を貯留する回収球タンクに設けられた回収球センサが作動することにより、該第１型パチンコ島台のパチンコ球を両端部に位置する第３型パチンコ島台に送るようにしたので、従来ではパチンコ球が不足しがちであった第３型パチンコ島台の球不足を未然に解消させる有益な効果がある。
【符号の説明】
【００３０】
１ｂ，１ｄ，１ｆ    第１型パチンコ島台
１ｃ，１ｅ          第２型パチンコ島台
１ａ，１ｇ          第３型パチンコ島台
２ａ〜２ｆ          通路
３                  パチンコ機
４                  景品球計数回収装置
５ａ，５ｂ          球回収樋
６                  揚送装置
７                  上部タンク
８ａ，８ｂ          球供給樋
９                  整流シュート
１０                球供給装置
１１                排出球計数装置
１２ａ，１２ｂ      貯留タンク
１７ａ，１７ｂ      球回収樋
１８ａ，１８ｂ      球回収樋
２５ａ，２５ｂ      シャッター装置
３０ａ〜３０ｄ      磁気センサ
３１                貯留球量検出装置
３５                回収球タンク
３６                回収球センサ
３７                リフト
３９                磁気センサ
５０                上室部
５１                下室部
５４                オーバーフロー筒
５８                満タンセンサ
５９                オーバーフロー検出器
７０                島台間移送装置
７１                流出口
７２                流入口
７３                交流樋
７４                通路開閉装置
【図１】
0006012993.tif 000002
【図２】
0006012993.tif 000003
【図３】
0006012993.tif 000004
【図４】
0006012993.tif 000005
【図５】
0006012993.tif 000006
【図６】
0006012993.tif 000007
【図７】
0006012993.tif 000008
【図８】
0006012993.tif 000009
【図９】
0006012993.tif 000010
【図１０】
0006012993.tif 000011
【図１１】
0006012993.tif 000012
【図１２】
0006012993.tif 000013
【図１３】
0006012993.tif 000014
【図１４】
0006012993.tif 000015
【図１５】
0006012993.tif 000016
【図１６】
0006012993.tif 000017
【図１７】
0006012993.tif 000018
【図１８】
0006012993.tif 000019
【図１９】
0006012993.tif 000020
【図２０】
0006012993.tif 000021
【図２１】
0006012993.tif 000022